(57)【要約】      （修正有）【課題】製造コストの高騰を抑制しつつ、使用時の不快感を一層緩和できる着用ぬいぐるみを提供する。【解決手段】ぬいぐるみエアバッグ１０は、人Ｍが入る内部空間１０ａと、人Ｍが内部空間１０ａに出入りする出入口と、外部の空気を内部空間１０ａ内に取り入れる給気口１０ｃとを有し、取り入れた空気によって内部空間１０ａを外形とともに膨張させる。送気ユニット２０は、内部空間１０ａ内に入る人が装着するものであり、バッテリ２１と、バッテリ２１に駆動され、吸入口から吸い込んだ空気を吐出口から吐き出すブロア２２とを有する。吸気管３０は、ぬいぐるみエアバッグ１０の給気口１０ｃから内部空間１０ａ内に延び、送気ユニット２０におけるブロア２２の吸入口に繋がる。ブロア２２には、吐出口から吐き出される空気を導いて、人に向けて吐き出す延長ダクト６０が設けられている。【選択図】図１
0003164024.tif 000002
【実用新案登録請求の範囲】
【請求項１】
人が入って動作することにより外形を変化させ得る内部空間と、前記人の前記内部空間への出入りを可能とする出入口と、前記内部空間と連通して外部に開き、前記外部の空気を前記内部空間内に取り入れるための給気口とを有し、取り入れた空気によって前記内部空間を前記外形とともに膨張させ得るぬいぐるみエアバッグと、
バッテリと、前記バッテリによってファンが駆動され、吸入口から空気を吸い込むとともに、吐出口から前記空気を吐き出すモータ式のブロアとを有し、前記内部空間内に入る前記人が装着する送気ユニットと、
前記ぬいぐるみエアバッグの前記給気口から前記内部空間内に延び、前記送気ユニットにおける前記ブロアの前記吸入口に繋がる吸気管とを備えた着用ぬいぐるみにおいて、
前記ブロアには、前記吐出口から吐き出される前記空気を導いて、前記人に向けて吐き出す延長ダクトが設けられていることを特徴する着用ぬいぐるみ。
【請求項２】
前記延長ダクトは容易に撓むべく蛇腹が形成されたフレキシブルダクトにより構成されている請求項１記載の着用ぬいぐるみ。
【請求項３】
前記送気ユニットは、前記人が背負うことが可能なリュックサックと、前記リュックサック内に収納され、前記延長ダクトを前記リュックサック外に延出可能な前記ブロワとを有し、
前記リュックサックにおける前記人の背中と対向する面には、冷却材が着脱可能に保持されている請求項１又は２記載の着用ぬいぐるみ。
【請求項４】
前記リュックサックにおける前記人の背中と対向する面には、メッシュ袋が着脱可能に設けられ、
前記冷却材は、前記メッシュ袋内に抜き取り可能に収容される請求項３記載の着用ぬいぐるみ。
【考案の詳細な説明】
【技術分野】
【０００１】
本考案は、着用ぬいぐるみに関する。
【背景技術】
【０００２】
従来、特許文献１開示の着用ぬいぐるみが知られている。この着用ぬいぐるみは、ぬいぐるみエアバッグと、送気ユニットと、吸気管とを備えている。
【０００３】
ぬいぐるみエアバッグは、人が入って動作することにより外形を変化させ得る内部空間と、人の内部空間への出入りを可能とする出入口と、内部空間と連通して外部に開き、外部の空気を内部空間内に取り入れるための給気口とを有している。このぬいぐるみエアバッグは、取り入れた空気によって内部空間を外形とともに膨張させ得るようになっている。
【０００４】
送気ユニットは内部空間内に入る人が装着するものであり、バッテリと、モータ式のブロアとを有している。ブロアは、バッテリによってファンが駆動され、吸入口から空気を吸い込むとともに、吐出口から空気を吐き出すようになっている。
【０００５】
吸気管は、ぬいぐるみエアバッグの給気口から内部空間内に延び、送気ユニットにおけるブロアの吸入口に繋がるものである。
【０００６】
この着用ぬいぐるみは、送気ユニットを装着した人がぬいぐるみエアバッグの内部空間内に出入口から入り、ぬいぐるみエアバッグの給気口と送気ユニットにおけるブロアの吸入口とを吸気管により繋いで使用される。そして、送気ユニットが有するバッテリによって、外部から給電されることなく、ブロアのファンを駆動することができる。
【０００７】
こうして、この着用ぬいぐるみでは、外部の空気が給気口から吸気管及びブロアの吐出口を経て内部空間内に吐き出されることにより、ぬいぐるみエアバッグの内部空間が外形とともに膨張する。この際、内部空間からはある程度の空気は漏れるが、ブロアが継続して空気を取り入れることから、ぬいぐるみエアバッグの外形は維持される。また、ブロアによって取り入れた空気によって内部空間内の人の呼吸が損なわれることもない。
【０００８】
そして、この状態で内部空間内の人が様々な動作をすれば、その膨張したぬいぐるみエアバッグが同様の動作をすることとなり、イベント等において大きな効果を発揮することができる。また、この着用ぬいぐるみであれば、外部の空気を内部空間内に取り入れているため、着用する人の不快感をやわらげることもできる。
【先行技術文献】
【特許文献】
【０００９】
【特許文献１】実公平７−３００６６号
【考案の概要】
【考案が解決しようとする課題】
【００１０】
しかし、例えば夏等の気温が高い環境下で、そのような着用ぬいぐるみを着用する場合には、ぬいぐるみエアバッグの内部空間内に熱がこもり易い。そのため、内部空間内の人は、暑さをより感じ易く、発汗や汗による悪臭を生じて過酷な環境下におかれ易い。このため、この着用ぬいぐるみは、さらなる不快感の緩和のために、別途、扇風機等を設けるとすれば、部品点数が増加して製造コストの高騰を招いてしまう。
【００１１】
本考案は、上記従来の実情に鑑みてなされたものであって、製造コストの高騰を抑制しつつ、使用時の不快感を一層緩和できる着用ぬいぐるみを提供することを解決すべき課題としている。
【課題を解決するための手段】
【００１２】
本考案の着用ぬいぐるみは、人が入って動作することにより外形を変化させ得る内部空間と、前記人の前記内部空間への出入りを可能とする出入口と、前記内部空間と連通して外部に開き、前記外部の空気を前記内部空間内に取り入れるための給気口とを有し、取り入れた空気によって前記内部空間を前記外形とともに膨張させ得るぬいぐるみエアバッグと、
バッテリと、前記バッテリによってファンが駆動され、吸入口から空気を吸い込むとともに、吐出口から前記空気を吐き出すモータ式のブロアとを有し、前記内部空間内に入る前記人が装着する送気ユニットと、
前記ぬいぐるみエアバッグの前記給気口から前記内部空間内に延び、前記送気ユニットにおける前記ブロアの前記吸入口に繋がる吸気管とを備えた着用ぬいぐるみにおいて、
前記ブロアには、前記吐出口から吐き出される前記空気を導いて、前記人に向けて吐き出す延長ダクトが設けられていることを特徴する（請求項１）。
【００１３】
本考案の着用ぬいぐるみでは、送気ユニットを装着した人がぬいぐるみエアバッグの内部空間内に入って、バッテリによりブロアのファンを駆動すると、外部の空気が給気口から吸気管及びブロアの吐出口を経て、さらに延長ダクトに導かれて、内部空間内に吐き出される。こうして、ぬいぐるみエアバッグの内部空間が外形とともに膨張するので、着用ぬいぐるみを使用することができる。
【００１４】
また、この着用ぬいぐるみでは、外部の空気がブロアの吐出口から延長ダクトに導かれて、人に向けて吐き出される。このため、この着用ぬいぐるみは、内部空間内の人が感じる暑さ、すなわち体感温度を低下させて、発汗や汗による悪臭を抑制できるので、内部空間内の人が快適な環境下におかれることとなる。その結果、この着用ぬいぐるみは、使用時の不快感を一層緩和できる。
【００１５】
この際、ぬいぐるみエアバッグを膨張させる既存のブロアは、延長ダクトから内部空間内の人に向けて空気を吐き出すための送風手段も兼ねている。これにより、この着用ぬいぐるみは、別途、扇風機等を設ける必要がないため、部品点数の増加を抑制でき、その結果、製造コストの高騰を抑制できる。
【００１６】
したがって、本考案の着用ぬいぐるみは、製造コストの高騰を抑制しつつ、使用時の不快感を一層緩和できる。
【００１７】
本考案の着用ぬいぐるみにおいて、延長ダクトは容易に撓むべく蛇腹が形成されたフレキシブルダクトにより構成されていることが好ましい（請求項２）。
【００１８】
この場合、内部空間内の人が延長ダクトの向きを容易に変更できる。このため、特に不快感を感じ易い頭部に対して、積極的に延長ダクトから空気を吐き出すことができる。その結果、この着用ぬいぐるみは、使用時の不快感をより一層緩和できる。
【００１９】
本考案の着用ぬいぐるみにおいて、送気ユニットは、人が背負うことが可能なリュックサックと、リュックサック内に収納され、延長ダクトをリュックサック外に延出可能なブロワとを有することが好ましい。そして、リュックサックにおける人の背中と対向する面には、冷却材が着脱可能に保持されていることが好ましい（請求項３）。
【００２０】
この場合、ブロアを収納し、かつ延長ダクトが延出するリュックサックを人が背負うことにより、人が激しい動作をしても、それらが人と一体に移動するため、それらの重量が気になり難い。
【００２１】
また、リュックサックにおける人の背中と対向する面に、冷却材が着脱可能に保持されているので、人の背中を冷やすことができ、人が激しく動作する際の発汗を抑制できる。そして、冷却材の冷却性能が低下した場合、容易に別の冷却材に取り替えることができる。その結果、この着用ぬいぐるみは、使用時の不快感をより一層緩和できる。
【００２２】
本考案の着用ぬいぐるみにおいて、リュックサックにおける人の背中と対向する面には、メッシュ袋が着脱可能に設けられ、冷却材は、メッシュ袋内に抜き取り可能に収容されることが好ましい（請求項４）。
【００２３】
この場合、人の背中は、冷却材が収容されたメッシュ袋と接触する。このため、冷却材がリュックサックにおける人の背中と対向する面に直接保持されている場合と比較して、汗が背中に溜まり難くなる。また、メッシュ袋をリュックサックから取り外して容易に汗を洗い流すことができるので、汗による悪臭を確実に抑制できる。その結果、この着用ぬいぐるみは、使用時の不快感をより一層確実に緩和できる。
【図面の簡単な説明】
【００２４】
【図１】実施例の着用ぬいぐるみの模式断面図である。
【図２】実施例の着用ぬいぐるみの背面図である。
【図３】実施例の着用ぬいぐるみに係り、図１の拡大図である。
【図４】実施例の着用ぬいぐるみに係り、送風ユニットの模式拡大断面図である。
【図５】実施例の着用ぬいぐるみに係り、リュックサック、メッシュ袋及び保冷材の模式拡大断面図である。
【考案を実施するための形態】
【００２５】
以下、本考案を具体化した実施例を図面を参照しつつ説明する。
【００２６】
図１に示すように、実施例の着用ぬいぐるみは、ぬいぐるみエアバッグ１０と、送気ユニット２０と、吸気管３０とからなる。
【００２７】
ぬいぐるみエアバッグ１０はナイロンシートによりバルーン状に形成され、その外形はキャラクタとされている。このぬいぐるみエアバッグ１０は、人Ｍが入って動作することにより外形を変化させ得る内部空間１０ａと、図２に示すように、人Ｍの内部空間１０ａへの出入りを可能とする出入口１０ｂと、図１及び図２に示すように、内部空間１０ａと連通して外部に開き、外部の空気を内部空間１０ａ内に取り入れるための給気口１０ｃとを有している。
【００２８】
出入口１０ｂは上記特許文献１記載のものと同様のものである。このため、説明及び図示は簡略するが、出入口１０ｂの外部側及び内部空間側には、スライダをもつファスナが設けられている。そして、ファスナ上の内部空間１０ａ側と外部側とには、ナイロン製のひれ部がファスナを隠蔽する位置に設けられている。
【００２９】
図１に示すように、人Ｍは、送気ユニット２０を装着して内部空間１０ａ内に入る。この送気ユニット２０は、図３及び図４に示すように、リュックサック２３と、バッテリ２１と、ブロア２２とを有している。
【００３０】
袋形状のリュックサック２３には、複数本のストラップ２４Ａ、２４Ｂが連結されている。人Ｍは、リュックサック２３を背中に当接させた状態で、ストラップ２４Ａ、２４Ｂを肩及び脇腹を介して腹側にまわして連結することにより、リュックサック２３を背負うことができる。
【００３１】
図３に示すように、バッテリ２１は、ストラップ２４Ａ、２４Ｂにおいて、人Ｍの腹側で連結される部位に収納されている。バッテリ２１は１２Ｖの軽量のものである。
【００３２】
図４に示すように、ブロワ２２は、リュックサック２３内に収納されている。ブロア２２は、リュックサック２３内の底部に配設されるハウジング４１と、ハウジング４１の上壁に固定されて、回転軸４２ａを下方に突出させるモータ４２と、ハウジング４１内に配設され、回転軸４２ａに対して一体回転可能に固定されるシロッコファン４３とを有する。シロッコファン４３は、回転によって内周側から外周側に送風できるようになっている。
【００３３】
ハウジング４１の下壁には、シロッコファン４３の内周側に軸方向で連通する吸入口４１ａが開口している。また、ハウジング４１の側壁には、シロッコファン４３の外周側に径方向で連通するとともに、シロッコファン４３に対して側方に離反するように延びる略筒状の吐出口４１ｂが形成されている。吐出口４１ｂは、リュックサック２３の側面に貫設された開口２３ｃを介してリュックサック２３の側方に突出している。吐出口４１ｂ内には、異物や人の指がハウジング４１内に進入することを防止するメッシュ４５が嵌合されている。
【００３４】
ハウジング４１の下壁には、吸入部材４６がねじ４７によって固定されている。吸入部材４６は、吸入口４１ａと同軸をなして円筒状に下方に延びるボス４６ａを有している。ボス４６ａは、リュックサック２３の底部に貫設された開口２３ａを介してリュックサック２３の下方に突出している。ボス４６ａ内には、異物や人の指がハウジング４１内に進入することを防止するメッシュ４４が嵌合されている。
【００３５】
モータ４２は、図示しないリード線によりバッテリ２１と電気的に接続されている。また、モータ４２は、図３に示すように、人の手元のスイッチ４９まで延びるリード線４９ａと接続されている。スイッチ４９は、ブロア２２のＯＮ／ＯＦＦを切り替えるようになっている。なお、スイッチ４９は、モータ４２の回転数の調整もできるようになっていてもよい。
【００３６】
吸気管３０は、蛇腹が形成されたフレキシブルホースからなる。吸気管３０の下端は、ぬいぐるみエアバッグ１０の給気口１０ｃに対して、面ファスナ５２により着脱可能に接続されている。そして、吸気管３０は、給気口１０ｃから内部空間１０ａ内に延びている。
【００３７】
図４に示すように、吸気管３０の上端の外周面には、面ファスナ５１のメス部材５１ａが固定されている。また、吸入部材４６のボス４６ａの外周面にも面ファスナ５１のメス部材５１ｂが固定されている。面ファスナ５１のオス部材５１ｃはリュックサック２３の底面に予め縫い付けられている。吸気管３０の上端は、メス部材５１ａ、５１ｂに対して、オス部材５１ｃが外側から巻き付けられることにより、ブロア２２の吸入口４１ａに対して、着脱可能に接続されている。
【００３８】
図３及び図４に示すように、ブロア２２には、延長ダクト６０が設けられている。延長ダクト６０は、蛇腹が形成されたフレキシブルダクトにより構成されている。空調設備に用いられる市販のアルミ製フレキシブルダクトは重量が軽く、価格も低いので、延長ダクト６０として利用するのに好適である。
【００３９】
図４に示すように、延長ダクト６０の一端６０ａは、吐出口４１ｂ内に嵌入されることにより吐出口４１ｂに固定されている。なお、延長ダクト６０の一端６０ａを吐出口４１ｂに固定する構成としては、例えば、上述した吸気管３０の上端と同様の手段を採用することもできる。その他、ネジ締結、粘着テープによる固定等の一般的な構成を採用することもできる。
【００４０】
図１に示すように、延長ダクト６０は、内部空間１０ａ内に収納可能な程度に長くされている。具体的には、数＋ｃｍ〜百数＋ｃｍ程度の長さとすることが重量や取り扱い性の観点から好ましい。延長ダクト６０は蛇腹により容易に撓むことから、内部空間１０ａ内の人Ｍは、リュックサック２３を背負った状態で延長ダクト６０を湾曲させて、延長ダクト６０の他端６０ｂを内部空間１０ａ内の任意の場所に位置させることができる。その結果、延長ダクト６０は、吐出口４１ｂから吐き出される空気を導いて、内部空間１０ａ内の人Ｍに向けて吐き出すことが可能となっている。
【００４１】
図４及び図５に示すように、リュックサック２３における人Ｍの背中と対向する面２３ｂには、メッシュ袋７１が設けられている。図５に示すように、メッシュ袋７１は、複数組の面ファスナ５３により、リュックサック２３の面２３ｂに対して着脱可能に装着されている。メッシュ袋７１には、上方が開放された２個のポケット７１Ａ、７１Ｂが上下に並んで設けられている。なお、メッシュ袋７１は柔軟性が高いものであり、人Ｍの背中に接触する際の違和感を抑制できる。
【００４２】
メッシュ袋７１の各ポケット７１Ａ、７１Ｂ内には、冷却材７０が抜き取り可能に収容されている。冷却材７０は、例えば、保冷剤入りの市販の冷却パック等が採用される。
【００４３】
実施例の着用ぬいぐるみは以下のように使用される。まず、人Ｍが送気ユニット２０のリュックサック２３を背負い、出入口１０ｂからぬいぐるみエアバッグ１０内に入る。このとき、送気ユニット２０の吸入部材４６のボス４６ａには面ファスナ５１によって吸気管３０の上端が接続されている。そして、吸気管３０の下端をぬいぐるみエアバッグ１０の給気口１０ｃに面ファスナ５２によって接続した後、出入口１０ｂのファスナを閉める。ファスナ上の内部空間１０ａ側と外部側とにはひれ部が設けられているため、ファスナが隠蔽されるとともに、内部空間１０ａ内の気密性が確保される。
【００４４】
そして、スイッチ４９をＯＮにすることによって、ブロア２２を駆動する。この際、スイッチ４９が手元にあるため、高い操作性を発揮する。そして、外部の空気が給気口１０ｃ、吸入管３０、吸入口４１ａ及び吐出口４１ｂを経て、さらに延長ダクト６０に導かれて、延長ダクト６０の他端６０ｂから内部空間１０ａ内に吐き出される。このため、その空気によって、ぬいぐるみエアバッグ１０の内部空間１０ａが外形とともに膨張する。出入口１０ｂのファスナ等を介して、内部空間１０ａからある程度の空気が漏れるが、ブロア２２が継続して空気を取り入れることから、ぬいぐるみエアバッグ１０の外形は維持される。また、ブロア２２によって取り入れた空気によって内部空間１０ａ内の人Ｍの呼吸が損なわれることもない。
【００４５】
そして、この状態で内部空間１０ａ内の人Ｍが様々な動作をすれば、その膨張したぬいぐるみエアバッグ１０が同様の動作をすることとなり、イベント等において大きな効果を発揮することができる。
【００４６】
ここで、この着用ぬいぐるみでは、外部の空気がブロア２２の吐出口４１ｂから延長ダクト６０に導かれて、延長ダクト６０の他端６０ｂから人Ｍに向けて吐き出される。このため、この着用ぬいぐるみは、内部空間１０ａ内の人Ｍが感じる暑さ、すなわち体感温度を低下させて、発汗や汗による悪臭を抑制できるので、内部空間１０ａ内の人Ｍが快適な環境下におかれることとなる。その結果、この着用ぬいぐるみは、使用時の不快感を一層緩和できる。
【００４７】
この際、ぬいぐるみエアバッグ１０を膨張させる既存のブロア２２は、延長ダクト６０の他端６０ｂから内部空間１０ａ内の人Ｍに向けて空気を吐き出すための送風手段も兼ねている。これにより、この着用ぬいぐるみは、別途、扇風機等を設ける必要がないため、部品点数の増加を抑制でき、その結果、製造コストの高騰を抑制できる。
【００４８】
さらに、この着用ぬいぐるみは、不使用時に人Ｍがぬいぐるみエアバッグ１０から出ることにより送気ユニット２０を取り出し、かつ面ファスナ５１、５２を外すことによりぬいぐるみエアバッグ１０から吸気管３０も取り出すことが可能である。こうして、この着用ぬいぐるみは、ぬいぐるみエアバッグ１０を折り畳むことによりコンパクト化することができる。
【００４９】
したがって、実施例の着用ぬいぐるみは、製造コストの高騰を抑制しつつ、使用時の不快感を一層緩和できる。
【００５０】
また、この着用ぬいぐるみにおいて、延長ダクト６０は、蛇腹が形成されたフレキシブルダクトにより構成されている。このため、内部空間１０ａ内の人Ｍが延長ダクト６０の向きを容易に変更でき、特に不快感を感じ易い頭部に対して、積極的に延長ダクト６０の他端６０ｂから空気を吐き出すことができる。その結果、この着用ぬいぐるみは、使用時の不快感をより一層緩和できる。
【００５１】
さらに、この着用ぬいぐるみでは、リュックサック２３を人Ｍが背負うことにより、人Ｍが激しい動作をしても、ブロア２２や延長ダクト６０が人Ｍと一体に移動するため、それらの重量が気になり難い。また、リュックサック２３における人Ｍの背中と対向する面２３ｂには、冷却材７０が着脱可能に保持されているので、人Ｍの背中を冷やすことができ、人Ｍが激しく動作する際の発汗を抑制できる。そして、冷却材７０の冷却性能が低下した場合、容易に別の冷却材７０に取り替えることができる。その結果、この着用ぬいぐるみは、使用時の不快感をより一層緩和できる。
【００５２】
また、この着用ぬいぐるみでは、人Ｍの背中は、冷却材７０が収容されたメッシュ袋７１と接触するので、冷却材７０がリュックサック２３の面２３ｂに直接保持されている場合と比較して、汗が背中に溜まり難くなっている。また、メッシュ袋７１をリュックサック２３から取り外し、ポケット７１Ａ、７１Ｂから保冷材７０を抜き取って、容易に汗を洗い流すことができるので、汗による悪臭を確実に抑制できる。その結果、この着用ぬいぐるみは、使用時の不快感をより一層確実に緩和できる。
【００５３】
以上において、本考案を実施例に即して説明したが、本考案は上記実施例に制限されるものではなく、その趣旨を逸脱しない範囲で適宜変更して適用できることはいうまでもない。
【産業上の利用可能性】
【００５４】
本考案は、イベント等に着用されるぬいぐるみに利用可能である。
【符号の説明】
【００５５】
Ｍ…人
１０ａ…内部空間
１０ｂ…出入口
１０ｃ…給気口
１０…ぬいぐるみエアバッグ
２１…バッテリ
４３…ファン
４１ａ…吸入口
４１ｂ…吐出口
４２…モータ
２２…ブロア
２０…送気ユニット
３０…吸気管
６０…延長ダクト
２３…リュックサック
２３ｂ…リュックサックにおける人の背中と対向する面
７０…冷却材
７１…メッシュ袋
【図１】
0003164024.tif 000003
【図２】
0003164024.tif 000004
【図３】
0003164024.tif 000005
【図４】
0003164024.tif 000006
【図５】
0003164024.tif 000007